(57)【要約】【課題】不正な医薬品が、医薬品の収納箱等に入ってしまうような事件事故を堅固に防止するための対応が必要とされる。【解決手段】医薬品は、当該医薬品を識別する暗号化された識別情報が記憶された記憶部４２を有する情報タグ３を備える。収納管理装置１は、情報タグ３の記憶部４２に記憶された識別情報を取得する識別情報取得部１２と、識別情報を復号化する復号部１３と、復号化された識別情報に基づいて、医薬品が収容体への収納に適合するか否かを判定する判定部１４と、判定部１４により判定された結果を報知する報知部１６と、を有する。【選択図】図２
2009220922.tif 000002
【特許請求の範囲】
【請求項１】
医薬品と、当該医薬品の収納体への収納を管理する収納管理装置とを含む医薬品収納システムであって、
前記医薬品は、当該医薬品を識別する暗号化された識別情報が記憶された記憶部を有する情報タグを備え、
前記収納管理装置は、
前記情報タグの前記記憶部に記憶された前記識別情報を取得する識別情報取得部と、
前記取得した識別情報を復号化する復号部と、
前記復号化された識別情報に基づいて、前記医薬品が前記収納体への収納に適合するか否かを判定する判定部と、
前記判定部により判定された結果を報知する報知部と、を有することを特徴とする医薬品収納システム。
【請求項２】
前記情報タグの前記記憶部は、強誘電体メモリにより構成されることを特徴とする請求項１に記載の医薬品収納システム。
【請求項３】
前記収納管理装置の前記識別情報取得部は、前記医薬品が前記収納体に収納されるときに、当該医薬品の識別情報を取得することを特徴とする請求項１又は２に記載の医薬品収納システム。
【請求項４】
前記収納管理装置の前記識別情報取得部は、前記医薬品が前記収納体に収納された後に、当該収納体に収納されている全ての前記医薬品の前記識別情報を取得することを特徴とする請求項１又は２に記載の医薬品収納システム。
【請求項５】
前記情報タグの前記記憶部は、前記医薬品に関わる医薬品情報を更に記憶し、
前記収納管理装置の前記識別情報取得部は、前記医薬品情報を更に取得し、
前記収納管理装置の前記報知部は、前記取得した医薬品情報を更に報知することを特徴とする請求項１から４のいずれか一項に記載の医薬品収納システム。
【請求項６】
前記収納管理装置の前記報知部は、前記収納体に収容された前記医薬品の数量に関わる情報を更に報知することを特徴とする請求項１から５のいずれか一項に記載の医薬品収納システム。
【発明の詳細な説明】
【技術分野】
【０００１】
本発明は、医薬品の収納体への収納を管理する医薬品収納システムに関する。
【背景技術】
【０００２】
従来、医薬品や医薬品の包装体にＩＣタグ等の情報タグを取り付けて、その情報タグに医薬品の種類や入数等の情報を記憶して管理する方法が知られている。例えば、下記の特許文献１に記載された医薬品の管理方法では、医薬品の包装体に情報タグを取り付け、包装体内の医薬品の入数を確認したり、医薬品の出し入れ状況を管理したりしている。また、下記の特許文献２に記載された医薬品の管理方法では、医薬品に関しての製造番号、使用期限、搬送先等の情報を情報タグに記憶し、この情報タグを医薬品に取り付けることによって病院内における医薬品の物流を管理している。
【０００３】
【特許文献１】特開２００３−６３５３５号公報
【特許文献２】特開２００３−６３６５４号公報
【発明の開示】
【発明が解決しようとする課題】
【０００４】
上記した特許文献１及び特許文献２に記載されているような医薬品の管理方法では、医薬品に関わる情報を記憶した情報タグを用いて、医薬品の確認や物流の管理を可能にしている。しかしながら、収納すべきでない不正な医薬品が、医薬品の例えば収納箱に紛れ込むような事態への対応については不十分である。不正な医薬品が収納箱に紛れ込むような要因としては、例えば、医薬品の配送担当者のミスによるものや、或いは悪意ある第三者によって故意に危険な医薬品が投入されるような社会的に重大な影響を及ぼすもの等々が考えられる。このため、不正な医薬品が、医薬品の収納箱等に入ってしまうような事件事故を堅固に防止するための対応が必要とされる。
【課題を解決するための手段】
【０００５】
本発明は、上記の課題の少なくとも一部を解決するためになされたものであり、以下の形態又は適用例として実現することが可能である。
【０００６】
［適用例１］
医薬品と、当該医薬品の収納体への収納を管理する収納管理装置とを含む医薬品収納システムであって、前記医薬品は、当該医薬品を識別する暗号化された識別情報が記憶された記憶部を有する情報タグを備え、前記収納管理装置は、前記情報タグの前記記憶部に記憶された前記識別情報を取得する識別情報取得部と、前記取得した識別情報を復号化する復号部と、前記復号化された識別情報に基づいて、前記医薬品が前記収納体への収納に適合するか否かを判定する判定部と、前記判定部により判定された結果を報知する報知部と、を有することを特徴とする医薬品収納システム。
【０００７】
上記した医薬品収納システムによれば、収納管理装置の識別情報取得部が、医薬品に備えられた情報タグの記憶部から、医薬品を識別する暗号化された識別情報を取得する。そして、収納管理装置の判定部が、復号部によって復号化された識別情報に基づいて、医薬品が収容体への収納に適合するか否かを判定する。この判定結果は報知部によって報知される。
収納体へ収納される医薬品は、医薬品に備えられた情報タグの識別情報に基づいて、収納体に適合するか否かが判断されることから、医薬品の収納箱等に誤って不正な医薬品が入ってしまうような事故を防止することができる。また、情報タグの識別情報は暗号化されていることから、例えば、悪意ある第三者によって医薬品の識別情報が偽造され、この識別情報を有する医薬品が収納箱に紛れ込んでしまうような重大な事件を防止することができる。
【０００８】
［適用例２］
前記情報タグの前記記憶部は、強誘電体メモリにより構成されることを特徴とする上記医薬品収納システム。
【０００９】
上記した医薬品収納システムによれば、強誘電体メモリは耐タンパ性に優れることから、情報タグの記憶部に記憶された識別情報の秘匿性を高めることができる。
【００１０】
［適用例３］
前記収納管理装置の前記識別情報取得部は、前記医薬品が前記収納体に収納されるときに、当該医薬品の識別情報を取得することを特徴とする上記医薬品収納システム。
【００１１】
上記した医薬品収納システムによれば、医薬品が収納体に収納されるときに、医薬品の識別情報を取得する。これにより、医薬品が収納体に収納される前に医薬品の適合性を検証することができ、収納体に誤って不正な医薬品が入ってしまうことを防止できる。
【００１２】
［適用例４］
前記収納管理装置の前記識別情報取得部は、前記医薬品が前記収納体に収納された後に、当該収納体に収納されている全ての前記医薬品の前記識別情報を取得することを特徴とする上記医薬品収納システム。
【００１３】
上記した医薬品収納システムによれば、医薬品が収納体に収納された後に、収納されている全ての医薬品の識別情報を取得する。これにより、収納体に収納されている全ての医薬品の適合性をまとめて検証することができ、収納体に入ってしまった不正な医薬品を発見することができる。
【００１４】
［適用例５］
前記情報タグの前記記憶部は、前記医薬品に関わる医薬品情報を更に記憶し、前記収納管理装置の前記識別情報取得部は、前記医薬品情報を更に取得し、前記収納管理装置の前記報知部は、前記取得した医薬品情報を更に報知することを特徴とする上記医薬品収納システム。
【００１５】
上記した医薬品収納システムによれば、報知部が、医薬品に関わる医薬品情報を報知する。これにより、医薬品が適合するか否かの判定結果と共に、その医薬品情報も報知することができ、当該医薬品について詳しく確認することができる。
【００１６】
［適用例６］
前記収納管理装置の前記報知部は、前記収納体に収容された前記医薬品の数量に関わる情報を更に報知することを特徴とする上記医薬品収納システム。
【００１７】
上記した医薬品収納システムによれば、報知部が、医薬品の数量に関わる情報を報知する。これにより、収納体に収容されている医薬品の数量が適正であるか否かを確認することができる。
【発明を実施するための最良の形態】
【００１８】
（第１実施形態）
以下、第１実施形態に係る医薬品収納システムについて図面を参照して説明する。
【００１９】
＜医薬品収納システムの概略構成＞
最初に、本実施形態に係る医薬品収納システム１００の概略構成について説明する。
図１は、本実施形態に係る医薬品収納システム１００の概略構成例を示す図である。同図に示すように、医薬品収納システム１００は、複数の医薬品Ｍと、これらの医薬品Ｍが収納体としての収納箱７に収納されるのを管理するための収納管理装置１とにより構成されている。図１の例では、収納管理装置１が収納箱７の側面に一体に組み込まれている。
それぞれの医薬品Ｍには情報タグの例としてのＩＣタグ３が取り付けられており、このＩＣタグ３は、収納箱７に組み込まれた収納管理装置１と通信が可能である。また、収納管理装置１には、小型の液晶ディスプレイ等からなる表示パネル２０が備えられている。
【００２０】
なお、ここでは、複数の医薬品Ｍが収納箱７に収納される例を示しているが、これに限られず、１つの医薬品Ｍのみを収納可能な収納箱７に対して本収納管理装置１を適用しても良い。また、ここでは、収納箱７に収納管理装置１が組み込まれている例を示しているが、これに限られず、本収納管理装置１を、収納箱７とは別体の例えば携帯型の端末装置に組み込んで用いても良い。
【００２１】
＜医薬品収納システムの機能構成＞
次に、医薬品収納システム１００の機能構成について説明する。
図２は、医薬品収納システム１００の機能構成例を示すブロック図である。同図に示すように、医薬品収納システム１００は、医薬品Ｍに取り付けられたＩＣタグ３における機能と、収納管理装置１における機能とにより構成される。
【００２２】
先ず、医薬品Ｍに取り付けられているＩＣタグ３の構成及び機能について説明する。
図３は、ＩＣタグ３の概要図である。同図に示すように、ＩＣタグ３は、基材３１、アンテナ３２、スルーホール３３、パターンランド３４、ＩＣチップ３５等により構成されている。ＩＣタグ３は、基材３１上に設けられたコイル状のアンテナ３２と、ＩＣチップ３５に含まれる図示しない容量素子とにより、一定周波数の共振回路を形成し、当該周波数により外部の収納管理装置１と無線通信する。
【００２３】
基材３１は、例えば合成樹脂製のフィルムであり、アンテナ３２が配線されている。基材３１の裏面には、医薬品Ｍへ貼り付けるための粘着剤付きのフィルムがラミネートされている。アンテナ３２は、基材３１の表裏にラミネートされたアルミ箔や、胴箔等の金属箔をエッチング又は印刷することにより、形成されている。スルーホール３３は、基材３１の表裏に設けられたアンテナ３２の導通を取るためのカーボンブラック等の導電剤により構成されたスルーホールである。パターンランド３４は、アンテナ３２にＩＣチップ３５を搭載及び接続するためのものである。ＩＣチップ３５は、基材３１に対しフリップチップ実装、ＣＯＢ（Chip On Board）実装等により実装される。
【００２４】
ＩＣチップ３５は、図２に示すように、ＲＦ部４１、記憶部４２、制御部４３等により構成されている。
ＲＦ部４１には、容量素子が含まれており、アンテナ３２のコイルとの間で、一定周波数の共振回路を形成する。
記憶部４２は、強誘電体メモリ５となるＦｅＲＡＭ（Ferroelectric Random Access Memory）により構成される。このＦｅＲＡＭは、再書き込み記憶保持を必要とする耐タンパ性を有する不揮発性メモリである。なお、ＦｅＲＡＭの詳細については後述する。
記憶部４２には、識別情報（暗号文）４２ａ及び医薬品情報４２ｂが記憶されている。識別情報（暗号文）４２ａは、医薬品Ｍを識別するためのものであり、所定の暗号化アルゴリズムにより暗号化されている。また、医薬品情報４２ｂには、例えば、「医薬品名」、「効能」、「用法」、「使用期限」等の情報が含まれている。
制御部４３は、複数のロジック素子により構成され、収納管理装置１から発振される電磁波を受けたアンテナ３２における誘電起電力により動作し、ＲＦ部４１及びアンテナ３２を送受信回路として機能させる。
【００２５】
次に、収納管理装置１の機能について説明する。
収納管理装置１は、図２に示すように、識別情報取得部１２、復号部１３、判定部１４、記憶部１５、報知部１６、制御部１７、表示パネル２０等により構成されている。
識別情報取得部１２は、ＲＦ部１２ａ及び通信制御部１２ｂを備えている。識別情報取得部１２は、医薬品Ｍに取り付けられているＩＣタグ３との間で無線通信を行い、ＩＣタグ３の記憶部４２に記憶されている識別情報（暗号文）４２ａ及び医薬品情報４２ｂを取得する。具体的には、送受信回路であるＲＦ部１２ａにより、通信制御部１２ｂからの送信又は受信コマンドに応じて、送信及び受信回路を切替え、アンテナ１１を介して無線通信を行う。また、通信制御部１２ｂにより、制御部１７からの通信コマンドに従い、ＲＦ部１２ａの送信又は受信回路の切替えを行い、ＩＣタグ３との無線通信を制御する。
【００２６】
復号部１３は、識別情報取得部１２により読み取った識別情報（暗号文）４２ａを、所定の復号化アルゴリズムにより復号化して識別情報（平文）とする。
判定部１４は、復号部１３により復号化した識別情報（平文）を、記憶部１５に記憶されている対象医薬品識別情報１５ａと比較することにより、医薬品Ｍが収納箱７に適合する（収納する対象となる）か否かを判定する。
記憶部１５は、例えば、ＥＥＰＲＯＭ（Electrically Erasable Programmable Read-Only Memory）やフラッシュメモリのような不揮発性メモリにより構成されるが、上記した強誘電体メモリとなるＦｅＲＡＭにより構成されても良い。記憶部１５には、上記した対象医薬品識別情報１５ａ等が記憶される。この対象医薬品識別情報１５ａは、収納箱７への収納対象となる医薬品の識別情報等を含んでいる。
報知部１６は、ユーザへのメッセージ等を表示パネル２０へ表示する。なお、ここで、報知部１６が、図示しないスピーカ等を用いて、ユーザへのメッセージ等を音により知らせても良い。
制御部１７は、図示しないＣＰＵ、ＲＯＭ、ＲＡＭ等を備えて、上記した各部等を制御する。
【００２７】
＜ＦｅＲＡＭの構成＞
次に、強誘電体メモリとなるＦｅＲＡＭについて説明する。
ＦｅＲＡＭは、強誘電体材料によりメモリセルが構成されており、強誘電体材料をデータ保持用のキャパシタに利用したメモリである。強誘電体膜は、自発分極特性を有し、印加される電界方向に応じて分極方向が反転する性質を有している。ＦｅＲＡＭは、この分極反転を記憶保持に利用している。また、ＦｅＲＡＭは、データ保持のための電源を不要とする不揮発性メモリである。
【００２８】
図４は、ＦｅＲＡＭを構成するメモリセルを示す図である。同図に示すように、メモリセル５０は、トランジスタ５１と、強誘電体膜から構成される強誘電体キャパシタ５２とから構成されている。トランジスタ５１のゲート端子にＷＬ（ワード線）５３が接続され、トランジスタ５１のドレイン端子（又はソース端子）にＢＬ（ビット線）５４が接続され、トランジスタ５１のソース端子（又はドレイン端子）に強誘電体キャパシタ５２の一方側の端子が接続され、強誘電体キャパシタ５２の他方側の端子にＰＬ（プレート線）５５が接続されている。
【００２９】
次に、メモリセル５０にデータを書き込む動作について説明する。
メモリセル５０は、強誘電体キャパシタ５２の両端子間に所定電圧（Ｖｃｃ）が印加されることにより、「１」及び「０」のデータが書き込まれる。例えば、メモリセル５０は、ＷＬ５３が選択状態（トランジスタ５１オン状態）にされ、ＢＬ５４が０Ｖにされ、ＰＬ５５にＶｃｃが印加されることにより「０」が書き込まれる。また、ＢＬ５４にＶｃｃが印加され、ＰＬ５５が０Ｖにされることにより「１」が書き込まれる。また、メモリセル５０は、ＷＬ５３が非選択状態（トランジスタ５１オフ状態）になっても書き込まれたデータを保持する。
【００３０】
次に、メモリセル５０に書き込まれているデータを読み出す動作について説明する。
メモリセル５０には、図示しないセンスアンプ回路が備えられており、ＢＬ５４がオープン状態（０Ｖ）にされ、ＷＬ５３が選択状態にされ、ＰＬ５５にＶｃｃが印加されることにより、ＢＬ５４を介してセンスアンプ回路に所定の電圧が供給される。センスアンプ回路は、強誘電体キャパシタ５２の分極状態に応じて異なる電圧が供給され、それぞれの電圧に基づいて増幅を行う。メモリセル５０は、センスアンプ回路による増幅後の電圧に応じて「１」又は「０」が読み出される。
【００３１】
ここで、メモリセル５０は、データの読み出し動作において、「１」が読み出された場合、強誘電体キャパシタ５２の分極が「１」から「０」の状態に反転されることで破壊読み出しの動作を行う。そして、メモリセル５０は、強誘電体キャパシタ５２の分極を「１」の状態に維持するために、「１」のデータを読み出した後、再び「１」のデータを書き込むことで再書き込み動作を行うように制御されている。
【００３２】
このように、上記したＦｅＲＡＭは、自発分極特性を利用したメモリであることから、物理的にチップ内の情報を読み出すことが困難である。また、ＦｅＲＡＭは、破壊読み出しの動作を行って再書き込みの動作を行うように制御されていることから、内部解析（リバース・エンジニアリング）や改変に対する防護力となる耐タンパ性において優れている。
【００３３】
＜医薬品収納システムの動作＞
次に、医薬品収納システム１００における収納管理装置１の動作について説明する。
図５は、収納管理装置１の動作例を示すフローチャートである。同図に示すフローチャートは、ユーザが、医薬品Ｍに取り付けられたＩＣタグ３を収納管理装置１のアンテナ１１に近付けて、識別情報取得部１２のＲＦ部１２ａと通信可能になったときに動作が開始される。
【００３４】
先ず、ステップＳ１１０では、収納管理装置１は、識別情報取得部１２により、アンテナ１１に近付けられた医薬品ＭのＩＣタグ３から、ＩＣチップ３５の記憶部４２に記憶されている識別情報（暗号文）４２ａ及び医薬品情報４２ｂを取得する。
【００３５】
ステップＳ１２０では、収納管理装置１は、復号部１３により、ステップＳ１１０において取得した識別情報（暗号文）４２ａを復号化して識別情報（平文）とする。
【００３６】
ステップＳ１３０では、収納管理装置１は、判定部１４により、ステップＳ１２０において復号化した識別情報（平文）と、記憶部１５に記憶されている対象医薬品識別情報１５ａとを比較し、医薬品Ｍが収納箱７に適合するか否かを判定する。
医薬品Ｍが収納箱７に適合すると判定された場合、ステップＳ１４０において、報知部１６により、表示パネル２０に、「収納ＯＫ」の旨のメッセージと医薬品情報４２ｂとを表示する。
他方、医薬品Ｍが収納箱７に適合しないと判定された場合、ステップＳ１５０において、報知部１６により、表示パネル２０に「収納ＮＧ」の旨のメッセージと医薬品情報４２ｂとを表示する。
【００３７】
上述したように、本実施形態に係る医薬品収納システム１００では、医薬品ＭのＩＣタグ３の記憶部４２に識別情報（暗号文）４２ａ及び医薬品情報４２ｂが記憶されている。この医薬品Ｍを収納箱７に収納する際、収納箱７に組み込まれた収納管理装置１により、医薬品Ｍが収納箱７に適合するか否かが判定される。そして、その判定結果が医薬品情報４２ｂと共に表示パネル２０に表示される。
これにより、例えば医薬品の配送担当者が誤って収納箱７に収納すべきでない医薬品を入れようとしたとき、その場で、表示パネル２０に「収納ＮＧ」の旨のメッセージと、例えば「医薬品名」、「効能」、「用法」、「使用期限」等の医薬品情報４２ｂとが表示される。この結果、配送担当者は、今入れようとしている医薬品が収納箱７に入れるべきでない医薬品であることと、その医薬品の内容を知ることができ、収納箱７に誤って不正な医薬品が入ってしまうような事故を防止することができる。
【００３８】
また、医薬品ＭのＩＣタグ３の記憶部４２は、ＦｅＲＡＭからなる強誘電体メモリ５により構成されている。このＦｅＲＡＭは、上記したように、チップ内の情報を読み出すことが困難であり、耐タンパ性において優れている。更に、ＩＣタグ３の記憶部４２には、識別情報（暗号文）４２ａが暗号化されて記憶されている。
これらにより、悪意ある第三者がＩＣタグ３の記憶部４２の識別情報（暗号文）４２ａを盗み出すことが極めて困難になる。この結果、悪意ある第三者によって医薬品の識別情報（暗号文）４２ａが偽造され、この識別情報（暗号文）４２ａを有する医薬品が収納箱７に紛れ込んでしまうような重大な事件を防止することができる。
【００３９】
（第２実施形態）
以下、第２実施形態に係る医薬品収納システム２００について図面を参照して説明する。
【００４０】
図６は、第２実施形態に係る医薬品収納システム２００の概略構成例を示す図である。第２実施形態に係る医薬品収納システム２００の概略構成及び機能構成は、図１及び図２に示す第１実施形態に係る医薬品収納システム１００の概略構成及び機能構成とほぼ同様であるが、一部の概略構成及び機能構成が異なる。
【００４１】
図６に示すように、第２実施形態に係る医薬品収納システム２００では、収納管理装置１が、収納箱７内の医薬品Ｍと対向する蓋８の面に組み込まれている。そして、医薬品収納システム２００における収納管理装置１の識別情報取得部１２では、収納箱７に収納済みの全ての医薬品ＭのＩＣタグ３から、それぞれの識別情報（暗号文）４２ａ及び医薬品情報４２ｂを取得する機能を備えている。なお、収納管理装置１の位置は、蓋８の面に限られず、例えば収納箱７の内側に配置されていても良い。
【００４２】
図７は、第２実施形態に係る収納管理装置１の動作例を示すフローチャートである。同図に示すフローチャートは、医薬品Ｍが全て収納箱７に収納された後、例えば、ユーザが蓋８を閉めて図示しない操作ボタンを押したり、蓋８が閉められたことを図示しないセンサ等により検出したりすることにより動作が開始される。
【００４３】
先ず、ステップＳ２１０では、収納管理装置１は、識別情報取得部１２により、収納箱７に収納済みの全ての医薬品ＭのＩＣタグ３から、それぞれのＩＣチップ３５の記憶部４２に記憶されている識別情報（暗号文）４２ａ及び医薬品情報４２ｂを取得する。
【００４４】
ステップＳ２２０では、収納管理装置１は、復号部１３により、ステップＳ２１０において取得した１つの医薬品Ｍの識別情報（暗号文）４２ａを復号化して識別情報（平文）とする。
【００４５】
ステップＳ２３０では、収納管理装置１は、判定部１４により、ステップＳ２２０において復号化した識別情報（平文）と、記憶部１５に記憶されている対象医薬品識別情報１５ａとを比較し、当該医薬品Ｍが収納箱７に適合するか否かを判定する。
医薬品Ｍが収納箱７に適合すると判定された場合、ステップＳ２４０において、医薬品Ｍが「収納ＯＫ」である旨の識別と当該医薬品Ｍの医薬品情報４２ｂとを、記憶部１５に記憶する。
他方、医薬品Ｍが収納箱７に適合しないと判定された場合、ステップＳ２５０において、医薬品Ｍが「収納ＮＧ」である旨の識別と当該医薬品Ｍの医薬品情報４２ｂとを、記憶部１５に記憶する。
【００４６】
ステップＳ２６０では、収納管理装置１は、収納箱７に収納済みの全ての医薬品Ｍについて、医薬品の適合性の判定処理が終了したか否かを判定する。全ての医薬品Ｍについて判定処理が終了している場合は、次のステップＳ２７０へ進む。
他方、判定処理が終了していない医薬品がある場合は、ステップＳ２２０に戻り、次の医薬品Ｍの識別情報（暗号文）４２ａを復号化する。
【００４７】
ステップＳ２７０では、収納管理装置１は、ステップＳ２４０及びステップＳ２５０において記憶部１５に記憶した各医薬品Ｍの「収納ＯＫ」又は「収納ＮＧ」である旨の識別と、各医薬品情報４２ｂとに基づいて、報知部１６により、表示パネル２０に各医薬品Ｍについての判定結果（「収納ＯＫ」又は「収納ＮＧ」）のメッセージと、医薬品情報４２ｂとを表示する。
【００４８】
上述したように、本実施形態に係る医薬品収納システム２００では、収納箱７に収納された全ての医薬品Ｍについて、収納箱７の蓋８に組み込まれた収納管理装置１により、各医薬品Ｍが収納箱７に適合するか否かが判定される。そして、全ての医薬品Ｍの判定結果が医薬品情報４２ｂと共に表示パネル２０に表示される。
これにより、例えば医薬品の配送担当者が収納箱７に全ての医薬品を収納し、その中に誤って収納すべきでない医薬品が入ってしまった場合、表示パネル２０に表示される全ての医薬品の一覧において、このような医薬品には「収納ＮＧ」の旨のメッセージと医薬品情報４２ｂとが表示される。この結果、配送担当者は、収納箱７に入れるべきでない医薬品があることと、その医薬品の内容を知ることができ、収納箱７に誤って不正な医薬品が入ってしまうような事故を防止することができる。
【００４９】
（変形例１）
上述した実施形態において、医薬品ＭのＩＣタグ３の記憶部４２に、医薬品情報４２ｂを記憶しないで識別情報（暗号文）４２ａのみを記憶するようにしても良い。そして、医薬品Ｍが収納箱７に適合するか否かを判定して判定結果を表示パネル２０に表示するとき、当該医薬品Ｍについて「収納ＯＫ」又は「収納ＮＧ」のみを表示するようにしても良い。
【００５０】
（変形例２）
上述した実施形態の収納管理装置１において、収納箱７に収納された医薬品Ｍの数量を数えて、その数量と、予め記憶部１５に記憶した収納箱７に収納すべき数量の情報とを比較して、比較結果を表示パネル２０等に表示しても良い。これにより、収納箱７に収納された医薬品Ｍの数量が適正であるか否かを検証することができ、例えば、収納箱７に収納すべき医薬品Ｍが、漏れたり、盗難されたり、或いは余分に収納されたりするのを防止することができる。
【図面の簡単な説明】
【００５１】
【図１】第１実施形態に係る医薬品収納システムの概略構成例を示す図。
【図２】医薬品収納システムの機能構成例を示すブロック図。
【図３】ＩＣタグの概要図。
【図４】ＦｅＲＡＭを構成するメモリセルを示す図。
【図５】第１実施形態に係る収納管理装置の動作例を示すフローチャート。
【図６】第２実施形態に係る医薬品収納システムの概略構成例を示す図。
【図７】第２実施形態に係る収納管理装置の動作例を示すフローチャート。
【符号の説明】
【００５２】
１…収納管理装置、３…ＩＣタグ、５…強誘電体メモリ、７…収納箱、８…蓋、１１…収納管理装置のアンテナ、１２…収納管理装置の識別情報取得部、１２ａ…識別情報取得部のＲＦ部、１２ｂ…識別情報取得部の通信制御部、１３…収納管理装置の復号部、１４…収納管理装置の判定部、１５…収納管理装置の記憶部、１５ａ…対象医薬品識別情報、１６…収納管理装置の報知部、１７…収納管理装置の制御部、２０…表示パネル、３１…ＩＣタグの基材、３２…ＩＣタグのアンテナ、３３…ＩＣタグのスルーホール、３４…ＩＣタグのパターンランド、３５…ＩＣタグのＩＣチップ、４１…ＩＣチップのＲＦ部、４２…ＩＣチップの記憶部、４２ａ…識別情報（暗号文）、４２ｂ…医薬品情報、４３…ＩＣチップの制御部、１００，２００…医薬品収納システム。
【図１】
2009220922.tif 000003
【図２】
2009220922.tif 000004
【図３】
2009220922.tif 000005
【図４】
2009220922.tif 000006
【図５】
2009220922.tif 000007
【図６】
2009220922.tif 000008
【図７】
2009220922.tif 000009